(57)【特許請求の範囲】
【請求項１】
ベースフレームと、このベースフレーム上に固定され固定側金型を取り付ける固定盤と、前記ベースフレーム上に進退可能に取り付けられたリンクハウジングと、前記固定盤とリンクハウジングとの間に設けられこれらを連結するタイバと、このタイバに沿って移動可能に取り付けられ移動側金型を取り付ける可動盤と、前記リンクハウジングと可動盤との間に設けられ該可動盤を前記固定盤に対し前後動させて前記金型を開閉するとともに型閉時に型締力を発生させるトグル機構と、前記可動盤の前後動方向に対し前後に位置して該可動盤の下部にそれぞれ取り付けられるとともに前記ベースフレーム上を回転移動する前部ローラ及び後部ローラにより前記可動盤を支持する支持部材とからなるトグル式射出成形機の型締装置において、
前記支持部材は、前記後部ローラの取付部側にＵ字型の切欠き部からなる緩衝部分を介して前記後部ローラを可動盤の下部に取り付け、前記型締力が作用したとき、該緩衝部分が変形可能に構成されていることを特徴とするトグル式射出成形機の型締装置。
【請求項２】
ベースフレームと、このベースフレーム上に固定され固定側金型を取り付ける固定盤と、前記ベースフレーム上に進退可能に取り付けられたリンクハウジングと、前記固定盤とリンクハウジングとの間に設けられこれらを連結するタイバと、このタイバに沿って移動可能に取り付けられ移動側金型を取り付ける可動盤と、前記リンクハウジングと可動盤との間に設けられ該可動盤を前記固定盤に対し前後動させて前記金型を開閉するとともに型閉時に型締力を発生させるトグル機構と、前記可動盤の前後動方向に対し前後に位置して該可動盤の下部にそれぞれ取り付けられるとともに前記ベースフレーム上を回転移動する前部ローラ及び後部ローラにより前記可動盤を支持する支持部材とからなるトグル式射出成形機の型締装置において、
前記支持部材は、前記後部ローラがコイルスプリング又は皿バネからなる弾性部材を介して前記可動盤の下部に弾性的に取り付けられ、前記型締力が作用したとき、該コイルスプリング又は皿バネからなる弾性部材が変形可能に構成されていることを特徴とするトグル式射出成形機の型締装置。
【発明の詳細な説明】
【０００１】
【発明の属する技術分野】
本発明は、トグル式射出成形機の型締装置に係るもので、特にタイバに沿って移動可能に取り付けられた可動盤にベースフレーム上を移動可能に支持する支持部材を取り付けて、固定盤に対して前記可動盤を直線移動させて金型を開閉するとともに、型閉時に型締力を発生させるトグル式射出成形機の型締装置に関するものである。
【０００２】
【従来の技術】
従来、トグル式射出成形機の型締装置は、ベースフレーム上を滑りまたは回転により移動可能にする支持部材を可動盤の下部に取り付けて、金型同士の平行度を維持し安定した型開閉を実現していた。この支持部材は、一般的に可動盤の前後にローラまたはクサビ形状のスベリ材（時にはリニアガイド）により構成され、型開閉時における可動盤の倒れを防止し、金型を可動盤に取り付けたときのタイバの撓みを抑え、型開閉時における金型同士の平行度を保持していた。
【０００３】
図４は、従来のトグル式射出成形機の型締装置を示す図である。従来のトグル式射出成形機の型締装置は、ベースフレーム３１上に固定され、固定側金型４３を取り付ける固定盤３２と、ベースフレーム３１の左端寄りに進退可能に取り付けられたリングハウジング３３と、固定盤３２とリンクハウジング３３の四隅を貫通するタイバ３４と、固定盤３２に対向して移動可能にタイバ３４に係合され、可動側金型４２を取り付ける可動盤３６と、可動盤３６とリンクハウジング３３との間に伸縮自在に取り付けられたトグル機構３７と、可動盤３６の下部に取り付けられベースフレーム３１上を回転移動する前部ローラ４５及び後部ローラ４６を取り付けた支持部材４４とにより構成されていた。
【０００４】
【発明が解決しようとする課題】
しかしながら、従来のトグル式射出成形機の型締装置は、型締時に可動盤３６の反金型取付面側が上下に開かれるように荷重Ｆ１、Ｆ２が作用し、可動盤３６は荷重Ｆ１、Ｆ２の方向に沿って変形する。しかし、支持部材４４が可動盤３６の下部の後部に配置されていると、この変形を妨げることとなり、支持部材４４の後部ローラ４６にはベースフレーム３１に強固な力で押し付けられる荷重Ｆ２が作用する。この荷重Ｆ２は支持部材４４の寿命に大きく影響を与え、時には支持部材４４の破損に繋がる場合もあった。
【０００５】
さらに、その荷重Ｆ２により変形を規制された可動盤３６の下部の変形抗力Ｆ３は規制を受けない可動盤３６の上部に荷重Ｆ４となって作用し、この変形の上下差が金型へ作用する型締力のバランスを上下で崩すこととなる。このことにより、成形品の厚さバラツキや多数個取りの場合のキャビティ間の重量バラツキにつながることがあった。
【０００６】
本発明は、前述した課題を解決し、安定した型開閉ができると同時に、型締時における可動盤の変形を規制することなく、金型に均一な型締力を加え、成形品の寸法バラツキや成形品の重量バラツキのない精度の高い成形品を得ることができるトグル式射出成形機の型締装置を提供することを目的としている。
【０００７】
【課題を解決するための手段】
上記目的を達成するための本発明のトグル式射出成形機の型締装置は、ベースフレームと、このベースフレーム上に固定され固定側金型を取り付ける固定盤と、前記ベースフレーム上に進退可能に取り付けられたリンクハウジングと、前記固定盤とリンクハウジングとの間に設けられこれらを連結するタイバと、このタイバに沿って移動可能に取り付けられ移動側金型を取り付ける可動盤と、前記リンクハウジングと可動盤との間に設けられ該可動盤を前記固定盤に対し前後動させて前記金型を開閉するとともに型閉時に型締力を発生させるトグル機構と、前記可動盤の前後動方向に対し前後に位置して該可動盤の下部にそれぞれ取り付けられるとともに前記ベースフレーム上を回転移動する前部ローラ及び後部ローラにより前記可動盤を支持する支持部材とからなるトグル式射出成形機の型締装置において、前記支持部材は、前記後部ローラの取付部側にＵ字型の切欠き部からなる緩衝部分を介して前記後部ローラを可動盤の下部に取り付け、前記型締力が作用したとき、該緩衝部分が変形可能に構成されているものである。
【０００８】
このように構成することにより、安定した型開閉ができると同時に、型締時において支持部材に設けた緩衝部分によって可動盤の変形を規制することなく、金型に均一な型締力を加え、成形品の寸法バラツキや成形品の重量バラツキのない高精度の成形品を得ることができる。
【０００９】
また上記目的を達成するための本発明のトグル式射出成形機の型締装置は、ベースフレームと、このベースフレーム上に固定され固定側金型を取り付ける固定盤と、前記ベースフレーム上に進退可能に取り付けられたリンクハウジングと、前記固定盤とリンクハウジングとの間に設けられこれらを連結するタイバと、このタイバに沿って移動可能に取り付けられ移動側金型を取り付ける可動盤と、前記リンクハウジングと可動盤との間に設けられ該可動盤を前記固定盤に対し前後動させて前記金型を開閉するとともに型閉時に型締力を発生させるトグル機構と、前記可動盤の前後動方向に対し前後に位置して該可動盤の下部にそれぞれ取り付けられるとともに前記ベースフレーム上を回転移動する前部ローラ及び後部ローラにより前記可動盤を支持する支持部材とからなるトグル式射出成形機の型締装置において、前記支持部材は、前記後部ローラがコイルスプリング又は皿バネからなる弾性部材を介して前記可動盤の下部に弾性的に取り付けられ、前記型締力が作用したとき、該コイルスプリング又は皿バネからなる弾性部材が変形可能に構成されているものである。
【００１０】
このように構成することにより、安定した型開閉ができると同時に、型締時には後部ローラを弾性的に取り付けているコイルスプリング又は皿バネからなる弾性部材によって可動盤の変形を規制することなく、金型に均一な型締力を加え、成形品の寸法バラツキや成形品の重量バラツキのない高精度の成形品を得ることができる。
【００１２】
【発明の実施の形態】
本発明の実施の形態を図１ないし図３を用いて説明する。図１は、本発明のトグル式射出成形機の型締装置の実施の形態を示す図であり、図２は、図１の型締状態を示す図である。トグル式射出成形機の型締装置は、図１に示すようにベースフレーム１１上に固定された固定盤１２とベースフレーム１１上を進退可能に取り付けられたリンクハウジング１３の間は、四隅を四本の平行なタイバ１４によって連結されている。タイバ１４の図１において右端はタイバナット１５によって固定盤１２に固定され、左端はネジ状に形成されており、リンクハウジング１３を貫通してタイバナット１５によりネジ締結されている。タイバナット１５はリンクハウジング１３に回転自在に組付けられ、リンクハウジング１３はタイバナット１５を回転させることによりネジ軸上を進退可能になされるとともに、所定位置に保持される構造となっている。
【００１３】
また、リンクハウジング１３と固定盤１２の間には、四隅をタイバに移動可能に係合された可動盤１６が設けられ、可動盤１６とリンクハウジング１３の間には、可動盤１６を前後動させるトグル機構１７が連結されている。トグル機構１７には、トグル機構１７を屈伸させるクロスヘッド１８が取り付けられ、クロスヘッド１８には、ボールナット１９が固定されている。このボールナット１９に螺合されているボールネジ２０は、回転可能な状態でリンクハウジング１３に取り付けられている。ボールネジ２０のクロスヘッド１８と反対側の端部には駆動装置２１が取り付けられ、駆動装置２１には図示しないモータが内蔵されている。
【００１４】
可動盤１６には可動側金型２２、固定盤１２には固定側金型２３が各々取り付けられ、可動盤１６の図１において下部には、ベースフレーム１１上を前後に回転移動する前部ローラ２５、後部ローラ２６を取り付けた支持部材２４が固定されている。支持部材２４は、図１において中心部分及び右側部分がボルトなどにより可動盤１６の下部に固定されており、上記中心部分と後部ローラ２６の取付部との間には緩衝部分としてのＵ字型の切り欠き部２７が設けられている。
【００１５】
次に図２を用いて本装置の作用を説明する。固定盤１２には固定側金型２３を、可動盤１６には可動側金型２２をそれぞれ取り付ける。このとき、可動盤１６に取り付けられた支持部材２４の切り欠き部２７は、可動側金型２２の重量程度では変形することはない。そこで、タイバ１４は、撓むことなく金型同士の平行度を維持する。次いで、駆動装置２１が作動すると、ボールネジ２０が回転し、ボールナット１９とクロスヘッド１８が一体となって前進し、トグル機構１７が徐々に伸長する。トグル機構１７が伸長することにより、可動盤１６がタイバ１４にガイドされて前進するとともに、可動盤１６に取り付けられた支持部材２４がベースフレーム１１上を移動して、可動側金型２２が固定側金型２３と接触する。この型閉時にも、支持部材２４の切り欠き部２７は、変形することなく、金型同士の平行度を維持する。
【００１６】
トグル機構１７がさらに伸長し、伸び切った状態で型締力が発生する。このとき、可動盤１６の反金型取付面側が上下に開かれるように荷重Ｆ１、Ｆ２が作用すると、タイバ１４と可動盤１６が荷重Ｆ１、Ｆ２の方向に沿って変形する。このとき、支持部材２４の後部ローラ２６には、これをベースフレーム１１に強固な力で押し付ける荷重Ｆ２が作用する。この荷重Ｆ２による支持部材２４の変形抗力Ｆ３は、支持部材２４に設けた切り欠き部２７の板バネ効果による緩衝作用により吸収され、可動盤１６、可動側金型２２の変形を許す。このことによって、安定した型開閉ができると同時に、可動盤１６の変形を規制することなく、金型に均一な型締力を加え、成形品の寸法バラツキや成形品の重量バラツキのない精度の高い成形品を得ることができる。
【００１７】
図３は、上述した図１のトグル式射出成形機の型締装置に他の支持部材２４を取り付けた図である。支持部材２４の後部ローラ２６は、コイルスプリング２８により可動盤１６の図３において左下角を弾性的に支持するように取り付けられている。コイルスプリング２８は金型重量程度では極く僅かに変形し、型締力等の力が作用した場合には大きな変形をするように選定する。一般的に射出成形機で使用される金型重量は型締力の１％程度以下であり、作用する荷重差が遥かに違うため選定は容易である。このように構成することにより、可動盤１６の変形を規制することなく、金型に均一な型締力を加え、高精度の成形品を得ることができる。
【００１８】
前述した実施の形態では、弾性部材として、コイルスプリング２８を用いた例を示したが、本発明はこれに限られるものではなく、皿バネなど他の弾性部材を用いることも可能であり、その配置・構成も適宜に変更可能である。
【００１９】
【発明の効果】
以上述べたように本発明のトグル式射出成形機の型締装置は、型締時における可動盤の変形を規制することなく、金型に均一な型締力を加え、成形品の寸法バラツキや成形品の重量バラツキのない精度の高い成形品を得ることができる。
【図面の簡単な説明】
【図１】本発明のトグル式射出成形機の型締装置の実施の形態を示す図。
【図２】図１の型締状態を示す図。
【図３】本発明の他の実施の形態を示す図。
【図４】従来のトグル式射出成形機の型締装置の可動盤の変形状態を示す説明図。
【符号の説明】
１１  ベースフレーム
１２  固定盤
１３  リンクハウジング
１４  タイバ
１５  タイバナット
１６  可動盤
１７  トグル機構
１８  クロスヘッド
１９  ボールナット
２０  ボールネジ
２１  駆動装置
２２  可動側金型
２３  固定側金型
２４  支持部材
２５  前部ローラ
２６  後部ローラ
２７  切り欠き部（緩衝部分）
２８  コイルスプリング（弾性部材）
３１  ベースフレーム
３２  固定盤
３３  リンクハウジング
３４  タイバ
３５  タイバナット
３６  可動盤
３７  トグル機構
３８  クロスヘッド
３９  ボールナット
４０  ボールネジ
４１  駆動装置
４２  可動側金型
４３  固定側金型
４４  支持部材
４５  前部ローラ
４６  後部ローラ
【図１】
0004049523.tif 000002
【図２】
0004049523.tif 000003
【図３】
0004049523.tif 000004
【図４】
0004049523.tif 000005